(57)【要約】【課題】一時的に使用を中断したい場合に耳に引っ掛けてぶら下げることが可能なメガネ及びメガネ掛止用部品を提供すること。【解決手段】２つのレンズと、２つのレンズの外側端部に形成された２本のつるとを少なくとも備えるメガネであって、前記２本のつるのそれぞれの先端の装着時内側に対して、装着者の耳介に引っ掛けて掛止するための掛止用部材を設けた。掛止用部材は、耳介の対珠及び／又は耳珠に引っ掛かるように形成されているか、若しくは、耳介の外耳孔に対して引っ掛かるように形成されている。既存のメガネに対して掛止用部材を接続するためのメガネ掛止用部品としてもよい。【選択図】図１
2020052206.tif 000002
【特許請求の範囲】
【請求項１】
２つのレンズと、２つのレンズの外側端部に形成された２本のつるとを少なくとも備えるメガネであって、
前記２本のつるのそれぞれの先端の装着時内側に対して、装着者の耳介に引っ掛けて掛止するための掛止用部材を設けた
ことを特徴とするメガネ。
【請求項２】
前記掛止用部材は、耳介の対珠及び／又は耳珠に引っ掛かるように形成されている
請求項１に記載のメガネ。
【請求項３】
前記掛止用部材は、耳介の外耳孔に対して引っ掛かるように形成されている
請求項１に記載のメガネ。
【請求項４】
２つのレンズと、２つのレンズの外側端部に形成された２本のつるとを少なくとも備えるメガネに対して取り付けて使用するメガネ掛止用部品であって、
前記２本のつるのそれぞれの先端の装着時内側に対して固定され、装着者の耳介に引っ掛かってメガネを掛止させる機能を備えた掛止用部材と、
前記掛止用部材をつるに固定するための固定手段と
を備えるメガネ掛止用部品。
【請求項５】
前記２つのつるのそれぞれの先端に取り付けられ所定の長さだけ延伸するための延伸部材を備え、
前記延伸部材は、
一方端に設けられた前記掛止用部材を固定するための掛止用部材固定端部と、
他方端に設けられた前記つるに対して取り付けるためと取付手段と
を備える
請求項４記載のメガネ掛止用部品。
【請求項６】
前記掛止用部材は、耳介の対珠及び／又は耳珠に引っ掛かるように形成されている
請求項４又は請求項５に記載のメガネ掛止用部品。
【請求項７】
前記掛止用部材は、耳介の外耳孔に対して引っ掛かるように形成されている
請求項４又は請求項５に記載のメガネ掛止用部品。
【発明の詳細な説明】
【技術分野】
【０００１】
本発明は、一時的に使用を中断したい場合に耳に引っ掛けてぶら下げることが可能なメガネ及びメガネ掛止用部品に関するものである。
【背景技術】
【０００２】
従来、メガネの使用を中断しようとする場合、身体から離れた場所に置いてしまうと使用を再開するときに何れの場所に置いたかを失念したり探すことに苦労したりすることがあるため、身体に装着したままとしておきたいというニーズがある。例えば、メガネを額に装着させて使用を一時的に中断する手法が存在する。
【０００３】
メガネの使用を一時的に中断する際に使用するものとしては、例えば、特許文献１が挙げられる。この特許文献１には、頭部装身具に脱着可能な取り付け部と、前記頭部装身具に取り付けるとその頭部装身具の外側に配置されてメガネの蔓を係止できる蔓係止部と、を備えたメガネ掛けが開示されている。
【先行技術文献】
【特許文献】
【０００４】
【特許文献１】特開２０１０−２２９６０９号公報
【発明の概要】
【発明が解決しようとする課題】
【０００５】
特許文献１に記載のメガネ掛けによれば、キャップなどの帽子を着用する場合にはメガネを安定して固定する効果があるが、帽子を着用するばあいに限定されるという問題がある。また、メガネのつるの先端同士を紐で結合して首からぶら下げる方法も存在するが、常に紐を結合した状態となるため紐が邪魔となることがあり、自動車におけるシートベルト着用の際に首からぶら下げたメガネが邪魔となるという問題があった。
【０００６】
本発明は、上記問題点に鑑みなされたものであり、一時的に使用を中断したい場合に耳に引っ掛けてぶら下げることが可能なメガネ及びメガネ掛止用部品を提供することを目的とする。
【課題を解決するための手段】
【０００７】
本発明に係るメガネは、２つのレンズと、２つのレンズの外側端部に形成された２本のつるとを少なくとも備えるメガネであって、前記２本のつるのそれぞれの先端の装着時内側に対して、装着者の耳介に引っ掛けて掛止するための掛止用部材を設けたことを特徴とする。
【０００８】
本発明に係るメガネ掛止用部品は、２つのレンズと、２つのレンズの外側端部に形成された２本のつるとを少なくとも備えるメガネに対して取り付けて使用するメガネ掛止用部品であって、前記２本のつるのそれぞれの先端の装着時内側に対して固定され、装着者の耳介に引っ掛かってメガネを掛止させる機能を備えた掛止用部材と、前記掛止用部材をつるに固定するための固定手段とを備えることを特徴とする。
【発明の効果】
【０００９】
本発明によれば、メガネの装着者は、メガネの使用を一時的に中断したい場合に、つるのそれぞれの先端内側に設けられた掛止用部材を耳介に引っ掛けて顎の下にぶら下げることができる。本発明のメガネは、どのような目的のメガネに対しても適用することができるものであるが、老眼鏡のように、近くを見るときには必要であるが遠くを見るときには不要となるというように、状況に応じて要不要が切り替わるため一時的に使用を中断することが多くなるメガネにおいて特に効果を発揮するものであるといえる。
【図面の簡単な説明】
【００１０】
【図１】本発明に係るメガネの構成を表した斜視図である。
【図２】本発明に係るメガネの使用状態を表した模式図である。
【図３】本発明に係るメガネの使用状態における掛止用部材の耳介内での位置を表した説明図である。
【図４】本発明に係るメガネのつると掛止用部材の接続関係を表した説明図である。
【図５】本発明に係るメガネ掛止用部品の一例を表した説明図である。
【図６】本発明に係るメガネのつると掛止用部材の接続関係の他の実施例を表した説明図である。
【図７】本発明に係るメガネのつると掛止用部材の接続関係の他の実施例を表した説明図である。
【図８】本発明に係るメガネのつると掛止用部材の接続関係の他の実施例を表した説明図である。
【図９】本発明に係るメガネのつると掛止用部材の接続関係の他の実施例を表した説明図である。
【発明を実施するための形態】
【００１１】
［第１の実施の形態］
以下、図面を参照しながら、第１の実施の形態に係るメガネの例について説明する。図１は、本発明に係るメガネ１０の構成を表した斜視図である。この図１に示すように、メガネ１０は、フレーム１１と、フレーム１１によって保持される２つのレンズ１２と、フレーム１１の両端にそれぞれ形成されたヒンジ構造１３と、このヒンジ構造１３によってフレーム１１と接続される２つのつる１４とで構成されている。なお、この図１では、フレーム１１を有する構成としているが、これに限定されるものではなく、レンズ１２に直接ヒンジ構造１３を接続したノンフレーム構造のメガネであってもよい。
【００１２】
ここで、図１に示すように、メガネ１０の２つのつる１４のそれぞれの先端の装着時内側には、装着者の耳介に引っ掛けて掛止するための掛止用部材１５が設けられている。
【００１３】
図２は、本発明に係るメガネ１０の使用状態を表した模式図である。この図２に示すように、メガネ１０の装着者は、メガネ１０の使用を一時的に中断したい場合には、つる１４のそれぞれの先端内側に設けられた掛止用部材１５を耳介に引っ掛けて顎の下にぶら下げることができる。
【００１４】
図３は、本発明に係るメガネ１０の使用状態における掛止用部材１５の耳介内での位置を表した説明図である。この図３に示すように、全ての人に当て嵌まる特徴ではないが、人は、耳介の内側に対珠２１や耳珠２２と呼ばれる箇所を有する場合が多く、この対珠２１及び／又は耳珠２２に対して掛止用部材１５が引っ掛かるように、掛止用部材１５の形状を工夫する。図１乃至図３に示す例では、掛止用部材１５を厚さの薄い円柱形状（コイン形状）に形成した例を用いて説明を行っているが、対珠２１及び／又は耳珠２２に対して引っ掛けることができる形状であればどのような形状であってもよい。また、掛止用部材１５は、対珠２１及び／又は耳珠２２に対して引っ掛ける場合に限らず、耳介の外耳孔２３に対して装着する形状であってもよい。外耳孔２３に対して装着する場合には、掛止用部材１５は細長くて先端に向かうにつれて径が細くなる円錐形状とすることが考えられる。
【００１５】
図４は、本発明に係るメガネ１０のつる１４と掛止用部材１５の接続関係を表した説明図である。図４（ａ）は、つる１４と掛止用部材１５の接続箇所を拡大した図であり、図４（ｂ）は、（ａ）におけるＡ−Ａ’線断面図である。つる１４と掛止用部材１５の接続は、図４（ｂ）に示すように、接着層１６を介してつる１４と掛止用部材１５とを接続する例が考えられる。また、ネジ止めによって接続するものであってもよい。図４（ｃ）は、つる１４と掛止用部材１５とをネジ１７によって接続する状態を表した断面図である。また、図４（ｄ）は、円錐形状の掛止用部材１５ｂを採用した場合のつる１４と掛止用部材１５ｂの接続状態を表した断面図である。この図４（ｄ）では、接着層１６を介して接続を行っている。なお、図４（ａ）に示すつる１４の先端は、つる１４の太さのまま形成されているが、これに限定されるものではなく、掛止用部材１５との接続を強固にするために、掛止用部材１５と接触する面積が大きくなるように、つる１４の先端の形状を掛止用部材１５の形状に応じて工夫するようにしてもよい。
【００１６】
以上のように、本発明に係るメガネ１０によれば、２本のつる１４のそれぞれの先端の装着時内側に対して、装着者の耳介に引っ掛けて掛止するための掛止用部材１５を設けたので、メガネ１０の装着者は、メガネ１０の使用を一時的に中断したい場合に、つる１４のそれぞれの先端内側に設けられた掛止用部材１５を耳介に引っ掛けて顎の下にぶら下げることができる。本発明のメガネ１０は、どのような目的のメガネに対しても適用することができるものであるが、老眼鏡のように、近くを見るときには必要であるが遠くを見るときには不要となるというように、状況に応じて要不要が切り替わるため一時的に使用を中断することが多くなるメガネにおいて特に効果を発揮するものであるといえる。
【００１７】
［第２の実施の形態］
第１の実施の形態においては、掛止用部材１５が設けられたメガネ１０として説明を行ったが、これに限定されるものではなく、メガネに後から取り付けて掛止可能に機能させるためのメガネ掛止用部品であってもよい。
【００１８】
すなわち、第１の実施形態においてメガネのつる１４に接続される掛止用部材１５をメガネ掛止用部品としてメガネとは別に販売して、購入者が自身の所持するメガネのつる１４に対してメガネ掛止用部品としての掛止用部材１５を接続して使用するようにする。
【００１９】
掛止用部材１５をつる１４に対して接続する方法として、図４では、接着層１６にって接続する方法と、ネジ１７によってネジ止めする方法を挙げて説明していたが、メガネ掛止用部品として販売する場合には、つる１４の先端を差し込んで接続するためのアタッチメントを採用し、そのアタッチメントに対して掛止用部材１５を接続しておくようにしてもよい。例えば、アタッチメントの材質としてシリコンゴムなどの弾性を有する材料を採用することで、差込孔にたいして圧入することで固定する手法が考えられる。なお、つる１４の先端に固定することが可能であれば、差し込む固定方法に限らず、どのような固定方法であってもよい。
【００２０】
また、つる１４の先端を差し込んで接続するためのアタッチメントを採用する場合、そのアタッチメントをつる１４の長さ方向に所定の長さだけ延伸するための延伸部材１８として機能させるようにしてもよい。図５は、本発明に係るメガネ掛止用部品の一例を表した説明図である。この図５に示すように、延伸部材１８は、つる１４の先端を差し込んで接続するための差込孔を有し、つる１４を延伸するために所定の長さを有している。そして、つる１４を差し込む位置から所定の長さだけ延伸させてずれた位置に掛止用部材１５を接続している。延伸部材１８に対する掛止用部材１５の接続方法は、どのような接続方法であってあってもよく、例えば、接着層１６による貼着であってもよいし、ネジ１７によってネジ止めする方法であってもよい。また、掛止用部材１５は、第１の実施の形態の場合と同様に、耳介の対珠及び／又は耳珠に引っ掛かるように形成されている、若しくは、耳介の外耳孔に対して引っ掛かるように形成されているものであれば、どのような形状であってもよい。
【００２１】
この図５に示したメガネ掛止用部品のように、つる１４に対して接続する際につるの長さを延伸する延伸部材１８として機能するアタッチメントを採用することにより、メガネを顎の下からぶら下げる際の長さを好みの長さに調整することが可能となる。というのも、メガネのつるの長さにはメガネ毎に差があり、耳介から顎の先端までの長さも人によって差があるため、メガネのつるの長さのみでは顎にメガネのレンズ部分が接触してしまう場合もある。そこで、延伸部材１８によってつるの長さを延伸させることができれば、顎にメガネのレンズ部分が接触することなく快適にぶら下げることが可能となる。
【００２２】
［第３の実施の形態］
第３の実施の形態においては、掛止用部材１５の他の実施形態について説明を行う。図６は、本発明に係るメガネのつる１４と掛止用部材１５の接続関係の他の実施例を表した説明図である。この図６に示すように、つる１４に対して係止用部材１５を回転軸２４によって回転自在に設けるようにしてもよい。このような構成とすることで、耳介に引っ掛けてぶら下げる際には実線で示した係止用部材１５の位置とし、メガネを装着する際には破線で示した位置まで係止用部材１５を回転させてから装着するようにすることで、係止用部材１５が装着の邪魔になることがない。
【００２３】
［第４の実施の形態］
第４の実施の形態においては、掛止用部材１５の他の実施形態について説明を行う。図７は、本発明に係るメガネのつる１４と掛止用部材１５の接続関係の他の実施例を表した説明図である。この図７（ａ）に示すように、メガネのつる１４の先端にヒンジ部材２５を介して係止用部材１５を設けるようにしてもよい。このような構成とすることで、耳介に引っ掛けてぶら下げる際には図７（ａ）に示す係止用部材１５の位置とし、メガネを装着する際にはヒンジ部材２５を折り畳むことで図７（ｂ）に示す位置まで係止用部材１５を移動させてから装着するようにすることで、係止用部材１５が装着の邪魔になることがない。
【００２４】
［第５の実施の形態］
第５の実施の形態においては、掛止用部材１５の他の実施形態について説明を行う。図８は、本発明に係るメガネのつる１４と掛止用部材１５の接続関係の他の実施例を表した説明図である。この図８に示すように、メガネのつる１４の先端に設けられたネジ穴２６に対して、係止用部材１５に一体に設けられたネジ部２７を螺合することで、メガネのつる１４の先端に係止用部材１５を固定するようにしてもよい。
【００２５】
［第６の実施の形態］
第５の実施の形態においては、螺合によって掛止用部材１５をつる１４に対して固定する例を説明したが、図９に示すように、つる１４の先端に凸部２８（図９では、球形の凸部２８）を設け、掛止用部材１５側には、凸部２８に対応した凹部２９を設けることで、メガネのつる１４の先端に係止用部材１５を嵌合によって固定するようにしてもよい。また、係止用部材１５は、図９に示すように、一方端のみを突出させて他方端は切り欠いた形状としてもよい。なお、凸部２８と凹部２９の関係性は逆であってもよい。
【符号の説明】
【００２６】
１０            メガネ
１１            フレーム
１２            レンズ
１３            ヒンジ構造
１４            つる
１５            掛止用部材
１６            接着層
１７            ネジ
１８            延伸部材
２０            耳介
２１            対珠
２２            耳珠
２３            外耳孔
２４            回転軸
２５            ヒンジ部材
２６            ネジ穴
２７            ネジ部
２８            凸部
２９            凹部
【図１】
2020052206.tif 000003
【図２】
2020052206.tif 000004
【図３】
2020052206.tif 000005
【図４】
2020052206.tif 000006
【図５】
2020052206.tif 000007
【図６】
2020052206.tif 000008
【図７】
2020052206.tif 000009
【図８】
2020052206.tif 000010
【図９】
2020052206.tif 000011